(57)【要約】【課題】  上着および上着とセットで着用する衣服を脱いだり着用したりする際に、これらを容易にハンガーに掛けたり取り外したりすることを可能ならしめるハンガーコネクタおよびハンガーアセンブリを提供する。【解決手段】  ハンガーコネクタ３は、ハンガーの所定箇所に着脱可能な取付部３０と、取付部３０に連設され、別のハンガーの吊り下げ用の引掛け部と係合可能な係合部４０とを有している。取付部３０は、好ましくは、弾性を有する材料により形成されハンガーの所定箇所を挟み込み可能な略逆Ｕ字形状の連結部３１を有する。【選択図】            図２
0003108058.tif 000002
【実用新案登録請求の範囲】
【請求項１】
ハンガーの所定箇所に着脱可能な取付部と、
前記取付部に連設され、別のハンガーの吊り下げ用の引掛け部と係合可能な係合部と、
を有することを特徴とするハンガーコネクタ。
【請求項２】
前記取付部は、ハンガーにおける上着を掛けるための略ヘ字形状の傾斜部の略中央に位置する首部に着脱可能であることを特徴とする請求項１に記載のハンガーコネクタ。
【請求項３】
前記取付部は、ハンガーにおける上着とセットで着用する衣服を掛けるための略水平な梁部に着脱可能であることを特徴とする請求項１または２に記載のハンガーコネクタ。
【請求項４】
前記取付部は、ハンガーの所定箇所に引掛け得る略逆Ｕ字形状の連結部を有することを特徴とする請求項１〜３のいずれか１つに記載のハンガーコネクタ。
【請求項５】
前記連結部は、弾性を有する材料により形成されハンガーの所定箇所を挟み込み可能であることを特徴とする請求項４に記載のハンガーコネクタ。
【請求項６】
前記弾性を有する材料は、樹脂材料であることを特徴とする請求項５に記載のハンガーコネクタ。
【請求項７】
一つの樹脂材料により一体的に形成されていることを特徴とする請求項６に記載のハンガーコネクタ。
【請求項８】
前記樹脂材料は、ポリプロピレン、ポリエチレン、ポリ塩化ビニル、およびアクリロニトリルブタジエンスチレンのうちのいずれかであることを特徴とする請求項６または７に記載のハンガーコネクタ。
【請求項９】
前記連結部の開口端近傍に、当該連結部内にハンガーの所定箇所を保持するための爪部が設けられていることを特徴とする請求項５〜８のいずれか１つに記載のハンガーコネクタ。
【請求項１０】
前記連結部の内側に凹部が設けられていることを特徴とする請求項５〜９のいずれか１つに記載のハンガーコネクタ。
【請求項１１】
前記連結部の外側における前記凹部に対応する位置に、外方に突出する凸部が設けられていることを特徴とする請求項１０に記載のハンガーコネクタ。
【請求項１２】
前記係合部は、略正Ｕ字形状を呈し、前記取付部と略同一平面内で前記取付部と略反対側に形成されていることを特徴とする請求項１〜１１のいずれか１つに記載のハンガーコネクタ。
【請求項１３】
ハンガーと当該ハンガーに着脱可能なハンガーコネクタとから構成されるハンガーアセンブリであって、
前記ハンガーコネクタは、ハンガーの所定箇所に着脱可能な取付部と、前記取付部に連設され、別のハンガーの吊り下げ用の引掛け部と係合可能な係合部とを有し、
前記取付部は、ハンガーの所定箇所に引掛け得る略逆Ｕ字形状の連結部を有することを特徴とするハンガーアセンブリ。
【請求項１４】
前記所定箇所は、上着を掛けるための略ヘ字形状の傾斜部の略中央に位置する首部、および上着とセットで着用する衣服を掛けるための略水平な梁部であることを特徴とする請求項１３に記載のハンガーアセンブリ。
【請求項１５】
前記連結部は、弾性を有する材料により形成されハンガーの所定箇所を挟み込み可能であることを特徴とする請求項１３または１４に記載のハンガーアセンブリ。
【請求項１６】
前記ハンガーの所定箇所は、上側に位置される第１部、下側に位置される第２部、および第１部と第２部とを連結する中間部を有して断面略Ｉ字形状を呈しており、
前記連結部は、前記所定箇所の第１部を挟み込み可能であることを特徴とする請求項１５に記載のハンガーアセンブリ。
【考案の詳細な説明】
【技術分野】
【０００１】
本考案は、ハンガーコネクタおよびハンガーアセンブリに関する。
【背景技術】
【０００２】
たとえば背広の上下、すなわち上着とズボンのセットを掛けて保管するのにハンガーが使用される。この場合、上着とズボンのセットの掛け易さの観点から言えば、まずズボンをハンガーのズボン掛け部に掛けた後、次いで、上着をハンガーの上着掛け部に掛けるのが望ましい。
【０００３】
しかしながら、たとえば外出先から帰宅して上着とズボンを脱ぐ際には、まず上着を脱ぎ、次にズボンを脱ぐ方が脱ぎ易く一般的である。すなわち、上着とズボンのセットにおいて、脱ぎ易い順序とハンガーに掛け易い順序が逆になる。
【０００４】
一方、上着とズボンを着用する際には、まずズボンを着用し、次に上着を着用する方が着用し易く一般的である。しかしながら、この場合、まず、上着の内部に掛けられているズボンを取り出す必要があり、上着が邪魔となってズボンをハンガーから取り外しにくい。すなわち、上着とズボンのセットにおいて、着用し易い順序とハンガーから取り外し易い順序が逆になる。
【０００５】
このように、上着および上着とセットで着用する衣服を脱いだり着用したりする際に、これらをハンガーに掛けたり取り外したりする作業がきわめて煩わしいという問題があった。
【考案の開示】
【考案が解決しようとする課題】
【０００６】
本考案は上述した課題に鑑みてなされたものであり、本考案は、上着および上着とセットで着用する衣服を脱いだり着用したりする際に、これらを容易にハンガーに掛けたり取り外したりすることを可能ならしめるハンガーコネクタおよびハンガーアセンブリを提供することを目的とする。
【課題を解決するための手段】
【０００７】
本考案の上記目的は、下記の手段によって達成される。
【０００８】
（１）ハンガーの所定箇所に着脱可能な取付部と、前記取付部に連設され、別のハンガーの吊り下げ用の引掛け部と係合可能な係合部と、を有することを特徴とするハンガーコネクタ。
【０００９】
（２）前記取付部は、ハンガーにおける上着を掛けるための略ヘ字形状の傾斜部の略中央に位置する首部に着脱可能であることを特徴とする上記（１）に記載のハンガーコネクタ。
【００１０】
（３）前記取付部は、ハンガーにおける上着とセットで着用する衣服を掛けるための略水平な梁部に着脱可能であることを特徴とする上記（１）または（２）に記載のハンガーコネクタ。
【００１１】
（４）前記取付部は、ハンガーの所定箇所に引掛け得る略逆Ｕ字形状の連結部を有することを特徴とする上記（１）〜（３）のいずれか１つに記載のハンガーコネクタ。
【００１２】
（５）前記連結部は、弾性を有する材料により形成されハンガーの所定箇所を挟み込み可能であることを特徴とする上記（４）に記載のハンガーコネクタ。
【００１３】
（６）前記弾性を有する材料は、樹脂材料であることを特徴とする上記（５）に記載のハンガーコネクタ。
【００１４】
（７）一つの樹脂材料により一体的に形成されていることを特徴とする上記（６）に記載のハンガーコネクタ。
【００１５】
（８）前記樹脂材料は、ポリプロピレン、ポリエチレン、ポリ塩化ビニル、およびアクリロニトリルブタジエンスチレンのうちのいずれかであることを特徴とする上記（６）または（７）に記載のハンガーコネクタ。
【００１６】
（９）前記連結部の開口端近傍に、当該連結部内にハンガーの所定箇所を保持するための爪部が設けられていることを特徴とする上記（５）〜（８）のいずれか１つに記載のハンガーコネクタ。
【００１７】
（１０）前記連結部の内側に凹部が設けられていることを特徴とする上記（５）〜（９）のいずれか１つに記載のハンガーコネクタ。
【００１８】
（１１）前記連結部の外側における前記凹部に対応する位置に、外方に突出する凸部が設けられていることを特徴とする上記（１０）に記載のハンガーコネクタ。
【００１９】
（１２）前記係合部は、略正Ｕ字形状を呈し、前記取付部と略同一平面内で前記取付部と略反対側に形成されていることを特徴とする上記（１）〜（１１）のいずれか１つに記載のハンガーコネクタ。
【００２０】
（１３）ハンガーと当該ハンガーに着脱可能なハンガーコネクタとから構成されるハンガーアセンブリであって、前記ハンガーコネクタは、ハンガーの所定箇所に着脱可能な取付部と、前記取付部に連設され、別のハンガーの吊り下げ用の引掛け部と係合可能な係合部とを有し、前記取付部は、ハンガーの所定箇所に引掛け得る略逆Ｕ字形状の連結部を有することを特徴とするハンガーアセンブリ。
【００２１】
（１４）前記所定箇所は、上着を掛けるための略ヘ字形状の傾斜部の略中央に位置する首部、および上着とセットで着用する衣服を掛けるための略水平な梁部であることを特徴とする上記（１３）に記載のハンガーアセンブリ。
【００２２】
（１５）前記連結部は、弾性を有する材料により形成されハンガーの所定箇所を挟み込み可能であることを特徴とする上記（１３）または（１４）に記載のハンガーアセンブリ。
【００２３】
（１６）前記ハンガーの所定箇所は、上側に位置される第１部、下側に位置される第２部、および第１部と第２部とを連結する中間部を有して断面略Ｉ字形状を呈しており、前記連結部は、前記所定箇所の第１部を挟み込み可能であることを特徴とする上記（１５）に記載のハンガーアセンブリ。
【考案の効果】
【００２４】
本考案によれば、上着および上着とセットで着用する衣服の組み合わせにおいて、脱ぎ易い順序とハンガーに掛け易い順序、および着用し易い順序とハンガーから取り外し易い順序が、それぞれ一致することとなる。
【００２５】
したがって、上着および上着とセットで着用する衣服を脱いだり着用したりする際に、これらを容易にハンガーに掛けたり外したりすることが可能となる。
【００２６】
さらに、ハンガーコネクタによって、複数のハンガーを縦（上下）方向に連結できるため、数着分の衣服をかさ張ることなくコンパクトに保管することができる。
【考案を実施するための最良の形態】
【００２７】
以下、本考案の実施の形態を、図面を参照して詳細に説明する。
【００２８】
図１は、本考案の一実施形態にかかるハンガーアセンブリの全体構成を示す正面図、図２は、図１に示されるハンガーコネクタの斜視図、図３は、ハンガーコネクタの正投影図であって、（Ａ）は左側面図、（Ｂ）は正面図、（Ｃ）は平面図である。
【００２９】
図１に示すように、ハンガーアセンブリ１は、ハンガー２と、当該ハンガー２に着脱可能なハンガーコネクタ３とから構成される。
【００３０】
ハンガー２は、吊り下げ用の引掛け部２１と、上着を掛けるための略ヘ字形状の傾斜部２２と、上着とセットで着用する衣服を掛けるための略水平な梁部２３とを有している。引掛け部２１は、略逆Ｕ字形状を呈しており、たとえばクローゼットの水平パイプに引掛けられ得る。傾斜部２２は、上着掛け部として使用可能であり、梁部２３は、ズボン掛け部として使用可能である。
【００３１】
図２および図３に示すように、ハンガーコネクタ３は、ハンガー２の所定箇所に着脱可能な取付部３０と、取付部３０に連設され、別のハンガー２の引掛け部２１と係合可能な係合部４０とから構成されている。
【００３２】
ここで、ハンガーコネクタ３の取付部３０が着脱可能なハンガー２の所定箇所は、たとえば梁部２３である。ただし、図４に示すように、ハンガー２の傾斜部２２の略中央に位置する首部２４に対して、ハンガーコネクタ３の取付部３０が着脱可能であってもよい。好ましくは、ハンガーコネクタ３の取付部３０は、ハンガー２の梁部２３および首部２４の両方に対して着脱可能とされる。
【００３３】
図５は、ハンガーコネクタの取付部付近の拡大図である。
【００３４】
取付部３０は、ハンガー２の所定箇所に引掛け得る略逆Ｕ字形状の連結部３１を有している。また、連結部３１は、好ましくは、弾性を有する材料により形成されハンガー２の所定箇所を挟み込み可能である。このような構成によれば、ハンガーコネクタ３をハンガー２の所定箇所に軽く固定することが可能となる。
【００３５】
弾性を有する材料としては、樹脂材料が好ましい。また、ハンガーコネクタ３は、一つの樹脂材料により一体的に形成されていることが好ましい。このような構成によれば、一体成形により安価に製造でき、しかも適切な弾性を確保することができる。
【００３６】
樹脂材料としては、ポリプロピレン（ＰＰ）、ポリエチレン（ＰＥ）、ポリ塩化ビニル（ＰＶＣ）、およびアクリロニトリルブタジエンスチレン（ＡＢＳ）のうちのいずれかであることが好ましい。このような樹脂材料を使用すれば、弾性が確保し易い。
【００３７】
連結部３１の開口端近傍には、当該連結部３１内にハンガー２の所定箇所を保持するための一対の爪部３２が設けられている。ただし、爪部３２は、片側に１つのみ形成された構成であってもよい。
【００３８】
図６は、図１のＶＩ−ＶＩ線に沿う拡大断面図である。
【００３９】
図６に示すように、ハンガー２の梁部２３は、上側に位置される第１部２５、下側に位置される第２部２６、および第１部２５と第２部２６とを連結する中間部２７を有して断面略Ｉ字形状を呈している。そして、連結部３１は、ハンガー２の梁部２３の第１部２５を挟み込み可能とされている。なお、ハンガー２の首部２４についても同様である。このような構成によれば、ハンガーコネクタ３を小型化しつつ、ハンガー２の梁部２３に対する確実な着脱を実現できる。
【００４０】
また、連結部３１の内側には、凹部３１１が設けられている（図５参照）。これにより、連結部３１の可撓性を向上させることができる。さらに、連結部３１の外側における凹部３１１に対応する位置に、外方に突出する凸部３１２が設けられている。これにより、強度を確保しつつ可撓性の向上が図られる。さらに、連結部３１の外側の他の箇所にも、凸部３１３が設けられ得る。
【００４１】
一方、図２および図３に示したように、係合部４０は、略正Ｕ字形状を呈し、取付部３０と略同一平面内で取付部３０と略反対側に形成されている。このような構成によれば、ハンガーコネクタ３をハンガー２に取り付けた状態において（図１および図４参照）係合部４０が前方に突出するため、ハンガーコネクタ３の係合部４０に、別のハンガー２の引掛け部２１を係合させ易くなる。
【００４２】
次に、図７を参照して、ハンガーアセンブリ１の使用方法について説明する。
【００４３】
まず、ハンガー２の梁部２３または首部２４に、あらかじめハンガーコネクタ３を取り付けておく。なお、図７では梁部２３にハンガーコネクタ３が取り付けられている。
【００４４】
上着とズボンを脱ぐ際には、ユーザは、まず上着５を脱いで、ハンガー２の傾斜部２２に、脱いだ上着５を掛ける。続いてユーザは、別のハンガー２（図７において下側のハンガー２）の梁部２３にズボン６を掛けた後、図７に示すように、このハンガー２をハンガーコネクタ３の係合部４０に引掛ける。
【００４５】
これにより、上着５とズボン６とをセットにして保管することができる。
【００４６】
一方、上着とズボンを着用する際には、ユーザは、まず図７において下側のハンガー２をハンガーコネクタ３から取り外すとともに、そのハンガー２の梁部２３に掛けられたズボン６を取り外して、ズボン６を着用する。続いてユーザは、図７において上側のハンガー２の傾斜部２２に掛けられた上着５を取り外して、上着５を着用する。
【００４７】
このように本実施形態によれば、上着とズボンのセットにおいて、脱ぎ易い順序とハンガーに掛け易い順序、および着用し易い順序とハンガーから取り外し易い順序が、それぞれ一致することとなる。
【００４８】
したがって、上着および上着とセットで着用する衣服を脱いだり着用したりする際に、これらを容易にハンガーに掛けたり外したりすることが可能となる。
【００４９】
さらに、ハンガーコネクタ３によって、複数のハンガー２を縦（上下）方向に連結できるため、数着分の衣服をかさ張ることなくコンパクトに保管することができる。
【００５０】
本考案は、上記した実施形態のみに限定されるものではなく、実用新案登録請求の範囲内において、種々改変することができる。
【００５１】
たとえば、上記実施形態において、ハンガーアセンブリ１が上着とズボンのセットに適用される場合について説明したが、本発明はこれに限定されるものではなく、たとえば上着とスカートのセット、ボレロとワンピースのセットなどの、他の上着および上着とセットで着用する衣服の組み合わせにも適用できることは言うまでもない。
【００５２】
また、ハンガーコネクタ３の連結部３１（あるいはハンガーコネクタ３全体）は、弾性を有する材料により形成されハンガー２の所定箇所を挟み込み可能であるものに必ずしも限定されるものではなく、たとえばアクリル等の硬い樹脂、木材、あるいは金属などで形成されハンガー２の所定箇所に引掛け得るものであってもよい。
【図面の簡単な説明】
【００５３】
【図１】本考案の一実施形態にかかるハンガーアセンブリの全体構成を示す正面図である。
【図２】図１に示されるハンガーコネクタの斜視図である。
【図３】ハンガーコネクタの正投影図であって、（Ａ）は左側面図、（Ｂ）は正面図、（Ｃ）は平面図である。
【図４】ハンガーコネクタが首部に取り付けられた場合のハンガーアセンブリの全体構成を示す正面図である。
【図５】ハンガーコネクタの取付部付近の拡大図である。
【図６】図１のＶＩ−ＶＩ線に沿う拡大断面図である。
【図７】ハンガーアセンブリの使用方法について説明するための図である。
【符号の説明】
【００５４】
１    ハンガーアセンブリ、
２    ハンガー、
２１    引掛け部、
２２    傾斜部、
２３    梁部、
２４    首部、
２５    第１部、
２６    第２部、
２７    中間部、
３    ハンガーコネクタ、
３０    取付部、
３１    連結部、
３１１    凹部、
３１２, ３１３    凸部、
３２    爪部、
４０    係合部、
５    上着、
６    ズボン。
【図１】
0003108058.tif 000003
【図２】
0003108058.tif 000004
【図３】
0003108058.tif 000005
【図４】
0003108058.tif 000006
【図５】
0003108058.tif 000007
【図６】
0003108058.tif 000008
【図７】
0003108058.tif 000009